Podtech/llm-jp-corpus-v4-ja_patent huggingface dataset:
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
医療器具であって：
患者に挿入するための大きさの医療装置であって、第一の表面、及び第二の表面を有する前記医療装置；及び、
前記医療装置の前記第一の表面に連関（ａｓｓｏｃｉａｔｅ）した多数のナノチューブ、
を含んで成り、
治療薬が前記多数のナノチューブに連関し、並びに前記治療薬の分子の一部分が前記多数のナノチューブからの第一のナノチューブ内に運ばれ、且つ前記分子の残余が前記多数のナノチューブからの前記第一のナノチューブの外に置かれる、前記医療器具。
【請求項２】
前記医療装置の前記第二の表面に連関した多数のナノチューブをさらに含んで成る、請求項１に記載の医療器具。
【請求項３】
前記医療装置の前記第一の表面に連関した前記多数のナノチューブが単層のナノチューブを含んで成る、請求項１に記載の医療器具。
【請求項４】
前記多数のナノチューブがコーティング内に置かれる、請求項１に記載の医療器具。
【請求項５】
前記治療薬及びナノチューブがコーティング内に置かれる、請求項１に記載の医療器具。
【請求項６】
前記第二の表面と連関した前記多数のナノチューブが１超の層のナノチューブを含んで成る、請求項２に記載の医療器具。
【請求項７】
前記医療装置がステント又はカテーテルのいずれかである、請求項１に記載の医療器具。
【請求項８】
患者に挿入するための大きさの医療装置を処理する方法であって：
前記医療装置と会合（ｉｎｔｅｒｆａｃｅ）させるための多数のナノチューブを調製すること；
多数のナノチューブを前記医療装置と会合させること；及び
前記多数のナノチューブを治療薬と会合させること、
を含んで成り、
前記治療薬の分子の一部分が前記多数のナノチューブからの第一のナノチューブ内に運ばれ、且つ前記分子の残余が前記多数のナノチューブからの前記第一のナノチューブの外に置かれる、前記方法。
【請求項９】
前記多数のナノチューブが前記医療装置上で単一のナノチューブの層を形成する、請求項８に記載の方法。
【請求項１０】
前記多数ナノチューブが担体内に存在する、請求項８に記載の方法。
【請求項１１】
標的部位を処理する方法であって：
治療薬の少なくとも１つの分子と連関したナノチューブを標的部位へ運搬すること；及び
前記治療薬の１又は複数の分子を放出させるために前記ナノチューブを壊すこと、
を含んで成る前記方法。
【請求項１２】
前記ナノチューブを壊すことが前記ナノチューブと連関した医療装置を拡張することを含む、請求項１１に記載の方法。
【請求項１３】
医療診断の方法であって：
患者の体内に多数のナノチューブを挿入すること；
前記多数のナノチューブを患者の体内の標的部位に置くこと；
前記多数のナノチューブを前記標的部位と会合させること；
前記多数のナノチューブを前記標的部位から取り除くこと；及び
前記多数のナノチューブを前記標的部位から取り除いた後にそれらを分析すること、
を含んで成る前記方法。
【請求項１４】
前記多数のナノチューブを会合させることが、前記標的部位に対して前記ナノチューブを押し付けること、及び前記ナノチューブを運ぶ医療装置を拡張することを含む、請求項１３に記載の方法。
【請求項１５】
前記多数のナノチューブを分析することが、前記ナノチューブの物理的配向を分析すること、及び前記標的部位から取り除かれた材料を分析することを含む、請求項１３に記載の方法。
【請求項１６】
医療器具であって：
患者に挿入するための大きさの医療装置；及び
医療装置の表面上に配置され、ナノチューブケージを形成する多数のナノチューブ、
を含んでなる、前記医療器具。
【請求項１７】
ナノチューブケージ内に含まれる治療剤を更に含んで成る、請求項１６に記載の医療器具。
【手続補正書】
【提出日】平成20年2月21日(2008.2.21)
【手続補正１】
【補正対象書類名】特許請求の範囲
【補正対象項目名】請求項１０
【補正方法】変更
【補正の内容】
【請求項１０】
人体の関心領域の高解像度画像を取得する磁気共鳴画像化システム用のコンピュータプログラムであって、
人体の低解像度全身プランスキャン画像を取得するプログラム手段と、
人体の関心領域を特定するプログラム手段と、
全身プランスキャン画像に基づいて高解像度画像の取得パラメータを決定するプログラム手段と、
決定した取得パラメータを用いて関心領域の高解像度画像を取得するプログラム手段と、を有することを特徴とするコンピュータプログラム。
【手続補正２】
【補正対象書類名】特許請求の範囲
【補正対象項目名】請求項１１
【補正方法】変更
【補正の内容】
【請求項１１】
請求項１０に記載のコンピュータプログラムであって、
グラフィカルユーザインターフェイスによりなされるオペレータの選択を処理することにより、全身プランスキャン画像中の関心領域を特定するように構成されたコンピュータプログラム手段をさらに有することを特徴とするコンピュータプログラム。
【手続補正３】
【補正対象書類名】特許請求の範囲
【補正対象項目名】請求項１２
【補正方法】変更
【補正の内容】
【請求項１２】
請求項１１または１０に記載のコンピュータプログラムであって、
高解像度画像を取得するコンピュータプログラム手段は、磁気共鳴画像化システムの最適性能の領域に対して人体の関心領域の位置をさらに制御するように構成されていることを特徴とするコンピュータプログラム。
【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
液体の他の成分から１種以上のプラスミドを単離する方法であって、
（ａ）外表面及び細孔表面に陰イオン交換基を呈し、細孔表面にプラスミドがアクセスできない孔径分布を有する１種以上の多孔性担体からなる分離マトリックスを用意する段階、
（ｂ）上記マトリックスを上記液体と接触させてプラスミドを分離マトリックスの外表面に存在するリガンドへ吸着させる段階、及び、適宜、
（ｃ）溶出液を上記分離マトリックスと接触させてプラスミドを遊離させ、溶出液の画分からプラスミドを回収する段階
を含んでなる方法。
【請求項２】
液体の他の成分から１種以上のプラスミドを単離する方法であって、
（ａ）外表面及び細孔表面に陰イオン交換基を呈し、ＤＮＡ排除限界が約２７０塩基対以上である１種以上の多孔性担体からなる分離マトリックスを用意する段階、
（ｂ）上記マトリックスを上記液体と接触させてプラスミドを分離マトリックスの外表面に存在するリガンドへ吸着させる段階、及び、適宜、
（ｃ）溶出液を上記分離マトリックスと接触させてプラスミドを遊離させ、溶出液の画分からプラスミドを回収する段階
を含んでなる方法。
【請求項３】
前記分離マトリックスのＤＮＡ排除限界が約１０００塩基対以上である、請求項２記載の方法。
【請求項４】
前記分離マトリックスが平均直径３０〜５０μｍの略球形の粒子である、請求項１乃至請求項３のいずれか１項記載の方法。
【請求項５】
前記プラスミドの大きさが約３０００塩基対を超える、請求項１乃至請求項４のいずれか１項記載の方法。
【請求項６】
約１ｇ以上のプラスミドを回収する大規模プロセスである、請求項１乃至請求項５のいずれか１項記載の方法。
【請求項７】
前記液体の他の成分の１つが、段階（ｂ）において分離マトリックスの細孔表面に存在するリガンドに吸着されるＲＮＡである、請求項１乃至請求項６のいずれか１項記載の方法。
【請求項８】
段階（ｃ）で回収されるプラスミドがＲＮＡを実質的に含まない、請求項７記載の方法。
【請求項９】
（ｄ）段階（ｃ）で得られるプラスミド含有溶出液を疎水性相互作用クロマトグラフィー（ＨＩＣ）にかける追加の段階をさらに含む、請求項１乃至請求項８のいずれか１項記載の方法。
【請求項１０】
前記陰イオン交換基が、第４級アミン（Ｑ）基及びジエチルアミン基からなる群から選択される、請求項１乃至請求項９のいずれか１項記載の方法。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
モータ(９０，１０２)を配置した中空内部領域を画定しているハンドル（８０，１３０）と、
ブラシ毛を上部に配置して有する可動ブラシ毛ホルダー（１５２）を備えるヘッド（２０，１２０）と、
前記ハンドルと前記ヘッドとの間に延びているネック（４０，１４０）と、
長軸を形成するドライブシャフト（９５，１６０，１９５，２９５，３９５，４９５，５９５，６９５，７９５，８９５）とを含み、このドライブシャフトは前記ネックを貫通して延びており、かつ作動的に前記モータを前記可動ブラシ毛ホルダーにつなぎ、およびこのドライブシャフトは少なくとも１つのバネ要素（９６，１９６，２９６，３９６，４９６，５９４，５９６，６９４，６９６，７９４，７９６，８９４，８９６）を備えてなる電動歯ブラシ（１０，１００）。
【請求項２】
前記バネ要素は、前記ドライブシャフトと一体形成される請求項１に記載の電動歯ブラシ。
【請求項３】
前記バネ要素は、前記ドライブシャフトと同じ材料で形成される請求項１に記載の電動歯ブラシ。
【請求項４】
前記バネ要素は、前記ドライブシャフトと異なる材料で形成される請求項１に記載の電動歯ブラシ。
【請求項５】
前記バネ要素は線形バネである、請求項１に記載の電動歯ブラシ。
【請求項６】
前記モータが稼働する際、前記ドライブシャフトは往復運動および回転運動を含むグループから選択された運動を受ける、請求項１に記載の電動歯ブラシ。
【請求項７】
前記ドライブシャフトは第１バネ要素と第２バネ要素とを含む、請求項１に記載の電動歯ブラシ。
【請求項８】
前記第１バネ要素は前記第２バネ要素のバネ定数とは異なるバネ定数を示す、請求項７に記載の電動歯ブラシ。
【請求項９】
前記電動歯ブラシが稼働し、前記可動ブラシ毛ホルダーに過負荷がかかる際、前記モータは稼働を続行し、前記バネ要素に反復変位を起こさせる、請求項１に記載の電動歯ブラシ。
【請求項１０】
前記変位は、前記バネ要素の圧縮と伸張とを含む請求項９に記載の電動歯ブラシ。
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
患者の血管系中の血管閉塞部を治療するためのシステムであって、
前記患者の血管系中に挿入されるように形作られた細長い管状本体を有し、該細長い管状本体は、遠位端部及び近位端部を有し、カテーテルの治療ゾーンに位置決めされる少なくとも１つの開口部を備えた薬剤投与ルーメンを構成し、
前記治療ゾーン内に位置決めされる超音波要素と、
前記治療ゾーンに位置決めされるセンサと、
前記センサにより収集された情報を表示するよう構成されたディスプレイユニットとを有する、
システム。
【請求項２】
前記細長い管状本体の遠位端部が約２フレンチ〜約５フレンチの外径を有する、請求項１記載のシステム。
【請求項３】
前記超音波要素に電気エネルギーを供給するように構成されたエネルギー源と、
該エネルギー源から前記超音波要素に供給される電気エネルギーを調節するように構成された電力回路とを有する、
請求項１記載のシステム。
【請求項４】
前記電力回路が、前記エネルギー源から前記超音波要素に供給される電流を調節するように構成されている、請求項３記載のシステム。
【請求項５】
前記電力回路が、前記センサにより収集された情報ら応答して前記電気エネルギーを調節するように構成されている、請求項３記載のシステム。
【請求項６】
治療部位における血液流量を測定するように構成され、
前記電力回路が、前記治療部位で測定された血液流量の変化に応答して前記電気エネルギーを調節するように構成されている、
請求項５記載のシステム。
【請求項７】
ユーザによる標的温度を受け取るように構成されたユーザインターフェイスを有し、
前記電力回路が、前記センサによって前記治療ゾーンで測定された温度と、前記ユーザから受け取った前記標的温度との比較に応答して前記電気エネルギーを調節するように構成されている、
請求項５記載のシステム。
【請求項８】
前記細長い管状本体に嵌るように寸法決めされたガイドワイヤを有し、前記細長い管状本体が前記ガイドワイヤを介して前記患者の血管系に挿入されるような構成されている、請求項１記載のシステム。
【請求項９】
前記センサが光センサである、請求項１記載のシステム。
【請求項１０】
前記光センサから前記細長い管状本体の近位端部まで延びる光ファイバを有する、請求項９記載のシステム。
【請求項１１】
前記センサが熱検出器である、請求項１記載のシステム。
【請求項１２】
前記カテーテルの治療ゾーン内に位置決めされる熱源を有する、請求項１１記載のシステム。
【請求項１３】
前記熱源が前記熱検出器に対して上流に位置決めされる、請求項１２記載のシステム。
【請求項１４】
前記熱源が抵抗加熱器である、請求項１２記載のシステム。
【請求項１５】
前記センサが治療部位の化学的組成物を検知するように構成されている、請求項１記載のシステム。
【請求項１６】
前記細長い管状本体を介して血管閉塞部に送られるように構成されている凝血捕捉器具を有する、請求項１記載のシステム。
【請求項１７】
前記凝血捕捉器具がニチノールコイルを有する、請求項１６記載のシステム。
【請求項１８】
前記ディスプレイユニットが前記細長い管状本体と血管閉塞部との相対位置を表示するように構成されている、請求項１記載のシステム。
【請求項１９】
前記ディスプレイユニットが血管閉塞部における血液流量を表示するように構成されている、請求項１記載のシステム。
【手続補正書】
【提出日】平成19年12月18日(2007.12.18)
【手続補正１】
【補正対象書類名】明細書
【補正対象項目名】００４０
【補正方法】変更
【補正の内容】
【００４０】
いずれにせよ、参照細胞集団と比較した、被験細胞集団における遺伝子発現のレベルは、PRCを発症する素因を示唆する。被験細胞集団における遺伝子の発現レベルが正常参照細胞集団の範囲に収まらない場合、対象はPRCを発症するリスクが高いと判断される。
【手続補正２】
【補正対象書類名】明細書
【補正対象項目名】００７４
【補正方法】変更
【補正の内容】
【００７４】
本発明においてEphA4の生物活性は、好ましくはチロシンキナーゼ活性である。当業者はチロシンキナーゼ活性を評価することができる。例えば、EphA4を発現する細胞を、[γ-32P]-ATPの存在下で被験化合物と接触させる。次いで、EphA4のチロシンキナーゼ活性によってリン酸化されたタンパク質を測定する。リン酸化タンパク質の検出のために、SDS-PAGEまたは免疫沈降法を用いることができる。さらに、リン酸化チロシン残基を認識する抗体をリン酸化タンパク質レベルの検出に用いることもできる。
【手続補正３】
【補正対象書類名】明細書
【補正対象項目名】０１０１
【補正方法】変更
【補正の内容】
【０１０１】
本発明の方法は、細胞におけるEphA4遺伝子の発現を変化させるために用いることができる。標的細胞におけるアンチセンス核酸と、EphA4に対応する転写産物との結合は、細胞によるタンパク質産生の低下をもたらす。オリゴヌクレオチドの長さは少なくとも10ヌクレオチドであり、天然の転写産物ほどの長さであってもよい。好ましくは、オリゴヌクレオチドは約75、約50、または約25ヌクレオチド長である。最も好ましくは、オリゴヌクレオチドは約19〜約25ヌクレオチド長未満である。
【手続補正４】
【補正対象書類名】明細書
【補正対象項目名】０１３９
【補正方法】変更
【補正の内容】
【０１３９】
したがって、本発明の文脈において利用され得る治療薬には、例えば以下が含まれる：（i）過剰発現される1つまたは複数の遺伝子のポリペプチド、またはそれらの類似体、誘導体、断片もしくは相同体；（ii）過剰発現される遺伝子または遺伝子産物に対する抗体；（iv）アンチセンス核酸、または「機能障害性」である核酸（すなわち、1つまたは複数の過剰発現される遺伝子の核酸内部への非相同的挿入のため）；（v）低分子干渉RNA（siRNA）；または（vi）調節物質（すなわち、阻害物質、過剰発現されるポリペプチドとその結合パートナーとの間の相互作用を変化させる拮抗薬）。機能障害性アンチセンス分子は、相同組換えによってポリペプチドの内因性機能を「ノックアウト」するために用いられる（例えば、Capecchi, Science 244: 1288-1292 1989を参照されたい）。
【手続補正５】
【補正対象書類名】明細書
【補正対象項目名】０１４２
【補正方法】変更
【補正の内容】
【０１４２】
本発明の治療方法は、細胞を、差次的に発現される遺伝子の遺伝子産物の活性のうち1つまたは複数を調節する作用因子と接触させる段階を含み得る。タンパク質活性を調節する作用因子の例には、核酸、タンパク質、このようなタンパク質の天然同族リガンド、ペプチド、ペプチド模倣物、およびその他の小分子が含まれるがこれらに限定されない。
【誤訳訂正書】
【提出日】平成20年6月23日(2008.6.23)
【誤訳訂正１】
【訂正対象書類名】明細書
【訂正対象項目名】００３６
【訂正方法】変更
【訂正の内容】
【００３６】
さて図３を参照して、ポジショナ／弁装置としての装置１６、１８、２４と、送信器として装置２０、２２、２６、２８を示すブロック図は、ポジショナ／弁１６、送信器２０、およびブリッジ３０と関連する機能ブロックを示す。図３に示されるように、ポジショナ／弁１６は、資源（ＲＳＣ）ブロック６１と、トランスデューサ（ＸＤＣＲ）ブロック６２と、アナログ出力（ＡＯ）機能ブロック６３、２つのＰＩＤ機能ブロック６４、６５、および信号セレクト（ＳＳ）機能ブロック６９を含む多数の機能ブロックとを含む。送信器２０は、資源ブロック６１と、２つのトランスデューサブロック６２と、２つのアナログ入力（ＡＩ）機能ブロック６６、６７とを含む。また、ブリッジ３０は、資源ブロック６１とＰＩＤ機能ブロック６８とを含む。
【誤訳訂正書】
【提出日】平成20年8月22日(2008.8.22)
【誤訳訂正１】
【訂正対象書類名】明細書
【訂正対象項目名】請求項１
【訂正方法】変更
【訂正の内容】
【請求項１】  近位端部と遠位端部とを備えたコアワイヤと、コアワイヤは、遠位端部に近接するテーパ部分を有し、テーパ部分の横断面積は遠位方向に向かって概ね減小することと、
コアワイヤの遠位端部に配置されたチップと、チップの横断面積はコアワイヤのテーパ部分の最小の横断面積よりも大きいことと、
コアワイヤ上をチップまで延びるコイルと、コイルはテーパ部分の少なくとも一部の上に延びることと、
チップに近接して、コアワイヤとコイルとの間に配置された放射線不透過性のシース（１２６）であって、重金属が装填された熱収縮ポリマーから形成されたシース（１２６）と
を備えたガイドワイヤの先端。
【誤訳訂正２】
【訂正対象書類名】明細書
【訂正対象項目名】請求項１０
【訂正方法】変更
【訂正の内容】
【請求項１０】  近位端部と遠位端部とを備えたコアワイヤと、コアワイヤは、遠位端部に近接するテーパ部分を有し、テーパ部分の横断面積は遠位方向に向かって概ね減小することと、
コアワイヤの遠位端部に配置されたチップと、チップの横断面積はコアワイヤのテーパ部分の最小の横断面積よりも大きいことと、
コアワイヤ上をチップまで延びるコイルと、コイルはテーパ部分の少なくとも一部の上に延びることと、
チップに近接して、コアワイヤとコイルとの間に配置された放射線不透過性のシース（１２６）であって、重金属が装填された可撓性ポリマーから形成されたシース（１２６）と
を備えたガイドワイヤの先端。
【誤訳訂正３】
【訂正対象書類名】明細書
【訂正対象項目名】００１３
【訂正方法】変更
【訂正の内容】
【００１３】
コイルは放射線不透過性であると共に、白金等の材料より形成され得る。シースは好ましくは放射線不透過性材料が装填された熱収縮チューブである。チップの遠位端部は非外傷性にすべく丸められている。チップおよびコアワイヤの少なくともいずれか一方はステンレス鋼より形成可能である。コアワイヤは、円形の横断面積を備えた部分と、近位端部に近接するリボン状の横断面積を備えた部分とを有する。円形断面部分とリボン状部分との間の移行部は概ね放物線の形状を有し得る。
【誤訳訂正４】
【訂正対象書類名】明細書
【訂正対象項目名】００１９
【訂正方法】変更
【訂正の内容】
【００１９】
コイル１２０とコアワイヤ１２との間の、コアワイヤ１２の遠位端部周囲には、ほぼ放射線不透過性のシース１２６が配置される。シース１２６は、タングステンを初めとする重金属が装填されたポリマー製の収縮適合チューブであり得る。コイル１２０を形成するワイヤは矩形の断面積を有する。
【誤訳訂正書】
【提出日】平成20年10月28日(2008.10.28)
【誤訳訂正１】
【訂正対象書類名】明細書
【訂正対象項目名】００３８
【訂正方法】変更
【訂正の内容】
【００３８】
本発明の実施のため、組換え核酸は有利には植物細胞中で機能して、上で定義した制御される核酸の発現を可能とする、プロモーター型の制御領域を含む。本発明の植物および本発明の実施で用いられ得る転写の制御部位のなかでは、カリフラワーモザイクウイルス（３５Ｓ、１９Ｓ）、またはノパリンシンターゼ（ｎｏｓ）またはオクトピンシンターゼ（ｏｃｐ）またはマンノピン、アグロパインまたはアシルキャリアータンパク質（ＡＣＰ）のような構造遺伝子のプロモーター部位を挙げてもよい。
【誤訳訂正２】
【訂正対象書類名】明細書
【訂正対象項目名】００４０
【訂正方法】変更
【訂正の内容】
【００４０】
さらに、本発明による組換え核酸に、特にノパリンシンターゼ（ｎｏｓ）またはオクトパインシンターゼ（ｏｃｐ）、マンノピン、アグロパインまたはＡＣＰのような他の遺伝子領域から用いるかまたは由来する、３′末端に位置する終結配列を導入することもまた好適である。
【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
ヒト被験体における胃、腸または十二指腸の障害を処置するための組成物であって、成長ホルモンの分泌もしくは産生、腸筋層間神経活性の調節またはそれらの両方を誘発する化合物を含有する、組成物。
【請求項２】
前記障害がイレウスである、請求項１に記載の組成物。
【請求項３】
前記障害が術後イレウスである、請求項２に記載の組成物。
【請求項４】
前記障害が胃不全麻痺である、請求項１に記載の組成物。
【請求項５】
前記化合物が、以下：（ａ）該化合物が、ソマトスタチンレセプターをアゴナイズすること、および（ｂ）該化合物が、グレリンレセプターをアゴナイズすることの１つまたはそれ以上の特性を有する、請求項１〜４のいずれかに記載の組成物。
【請求項６】
被験体における悪液質を処置するための組成物であって、成長ホルモンの分泌または産生を誘発する化合物を含有する、組成物。
【請求項７】
被験体におけるリポジストロフィを処置するための組成物であって、成長ホルモンの分泌または産生を誘発する化合物を含有する、組成物。
【請求項８】
前記リポジストロフィが、ＨＩＶリポジストロフィである、請求項６に記載の組成物。
【請求項９】
前記化合物が、以下：（ａ）該化合物が、グレリンレセプターをアゴナイズすること、（ｂ）該化合物が、ＧＨレセプターをアゴナイズすること、（ｃ）該化合物が、成長ホルモン放出ホルモン（ＧＨＲＨ）レセプターに結合すること、（ｄ）該化合物が、ＧＨＲＨレセプターをアゴナイズすること、および（ｅ）該化合物が、ソマトスタチンをアンタゴナイズすることの１つまたはそれ以上の特性を有する、請求項６〜８のいずれかに記載の組成物。
【請求項１０】
前記化合物が成長ホルモンの放出を増大または誘発する、請求項６〜８のいずれかに記載の組成物。
【請求項１１】
前記化合物がグレリンである、請求項１〜１０のいずれかに記載の組成物。
【請求項１２】
前記化合物が化合物１である、請求項１〜８のいずれかに記載の組成物。
【請求項１３】
前記化合物が化合物２である、請求項１〜８のいずれかに記載の組成物。
【請求項１４】
前記化合物が化合物３である、請求項１〜８のいずれかに記載の組成物。
【請求項１５】
前記化合物が化合物４である、請求項１〜８のいずれかに記載の組成物。
【請求項１６】
前記化合物が化合物５である、請求項１〜８のいずれかに記載の組成物。
【請求項１７】
前記化合物が化合物６である、請求項１〜８のいずれかに記載の組成物。
【請求項１８】
前記化合物が化合物７である、請求項１〜８のいずれかに記載の組成物。
【請求項１９】
前記化合物が化合物８、化合物９、化合物１０、化合物１１または化合物１２である、請求項１〜８のいずれかに記載の組成物。
【請求項２０】
さらに、第二の化合物を含む、請求項１〜５のいずれかに記載の組成物。
【請求項２１】
前記第二の化合物が、ｍｕオピオイドアンタゴニスト、グレリンアゴニストまたはモチリンレセプターアゴニストである、請求項２０に記載の組成物。
【請求項２２】
前記第二の化合物が、ｍｕオピオイドアンタゴニストであり、そして該ｍｕオピオイドアンタゴニストが、アルビモパンである、請求項２１に記載の組成物。
【請求項２３】
前記第二の化合物が、モチリンレセプターアゴニストであり、該モチリンレセプターアゴニストが、エリスロマイシンである、請求項２１に記載の組成物。
【請求項２４】
さらに、第二の化合物を含む、請求項６に記載の組成物。
【請求項２５】
前記第二の化合物が、グルココルチコイド、黄体ホルモン薬、ドロナビノールおよびシプロヘプタジンのうちの１種またはそれ以上であり得る、請求項２４に記載の組成物。
【請求項２６】
前記第二の化合物が、黄体ホルモン薬であり、そして該黄体ホルモン薬が、メゲースである、請求項２５に記載の組成物。
【請求項２７】
さらに、第二の化合物を含む、請求項１〜８のいずれかに記載の組成物。
【請求項２８】
前記第二の化合物が、ＧＨＲＰ−６、ＧＨＲＰ−１、Ｂ−ＨＴ９２０、ＧＨＲＰ−２、成長ホルモン放出ホルモン（ＧＨＲＨ、ＧＲＦとも称される）、ＩＧＦ−１、またはＩＧＦ−２である、請求項２７に記載の組成物。
【請求項２９】
前記第二の化合物が、クロニジン、スミトリプタン、フィゾスチグミンまたはピリドスチグミンである、請求項２７に記載の組成物。
【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
以下の式（ＩＶ）の化合物、又はその医薬品として許容される塩；
【化１】
2008510701.tif 000001
ＩＶ
ここで、Ｒは以下から成る群より選択される：フェニル、４−ベンジルオキシフェニル、４−ビフェニル、４−メトキシフェニル、３−メトキシフェニル、２−メトキシフェニル、３，５−ジメトキシフェニル、４−クロロフェニル、３−クロロフェニル、２−クロロフェニル、４−メチルフェニル、３−メチルフェニル、２−メチルフェニル及び３−トリフルオロメチルフェニル。
【請求項２】
Ｒが４−メトキシフェニルである、請求項１に記載の化合物。
【請求項３】
以下の式（ＩＶ）の化合物又はその医薬品として許容される塩を含む医薬品組成物：
【化２】
2008510701.tif 000002
ＩＶ
ここで、Ｒは以下から成る群より選択される置換基である：フェニル，４−ベンジルオキシフェニル、４−ビフェニル、４−メトキシフェニル、３−メトキシフェニル、２−メトキシフェニル、３，５−ジメトキシフェニル、４−クロロフェニル、３−クロロフェニル、２−クロロフェニル、４−メチルフェニル、３−メチルフェニル、２−メチルフェニル及び３−トリフルオロメチルフェニル。
【請求項４】
Ｒが４−メトキシフェニルである、請求項３に記載する組成物。
【請求項５】
以下の式（ＩＶ）の化合物又はその医薬品として許容される塩を含む、ＭＭＰ−１２を阻害するための医薬品組成物：
【化３】
2008510701.tif 000003
ＩＶ
ここで、Ｒは以下から成る群より選択される置換基である：フェニル、４−ベンジルオキシフェニル、４−ビフェニル、４−メトキシフェニル、３−メトキシフェニル、２−メトキシフェニル、３，５−ジメトキシフェニル、４−クロロフェニル、３−クロロフェニル、２−クロロフェニル、４−メチルフェニル、３−メチルフェニル、２−メチルフェニル及び３−トリフルオロメチルフェニル。
【請求項６】
Ｒが４−メトキシフェニルである、請求項５に記載する医薬品組成物。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
被験体の冠動脈組織の損傷を処置、予防、阻害、または緩和するための薬剤の製造において、前記冠動脈組織の中でのＩＬＫ活性の上方調節または増大、前記冠動脈組織の中でのＡｋｔ活性の上方調節または増大、前記冠動脈組織の中でのホスファチジルイノシトール３−キナーゼ（ＰＩ３Ｋ）活性の上方調節または増大、前記冠動脈組織の中での心筋細胞の死の下方調節または減少、ならびに、前記冠動脈組織の中での心筋細胞の休眠から選択される生理学的機能の少なくとも１つを誘導することができる誘導物質を含む組成物の使用。
【請求項２】
前記誘導物質は、サイモシンβ４（Ｔβ４）、Ｔβ４イソ型、類似体または誘導体、酸化型Ｔβ４、Ｔβ４のＮ末端変異体、Ｔβ４のＣ末端変異体、Ｔβ４のアゴニスト、Ｔβ４ａｌａ、Ｔβ９、Ｔβ１０、Ｔβ１１、Ｔβ１２、Ｔβ１３、Ｔβ１４、Ｔβ１５、ゲルゾリン、ビタミンＤ結合タンパク質（ＤＢＰ）、プロフィリン、コフィリン、アドセベルチン（ａｄｓｅｖｅｒｔｉｎ）、プロポミオシン、フィンチリン（ｆｉｎｃｉｌｉｎ）、デパクチン、ＤｎａｓｅＩ、ビリン、フラグミン、セベリン（ｓｅｖｅｒｉｎ）、キャッピングタンパク質、β−アクチニン、またはアキュメンチン（ａｃｕｍｅｎｔｉｎ）である、請求項１に記載の使用。
【請求項３】
前記誘導物質がＬＫＫＴＥＴペプチドである、請求項１に記載の使用。
【請求項４】
前記誘導物質がＴβ４以外の物質である、請求項３に記載の使用。
【請求項５】
前記誘導物質がＴβ４以外の物質である、請求項１に記載の使用。
【請求項６】
前記ポリペプチドに、アミノ酸配列ＬＫＫＴＥＴ、アミノ酸配列ＫＬＫＫＴＥＴ、アミ
ノ酸配列ＬＫＫＴＥＴＱ、およびＴβ４のＮ末端変異体、Ｔβ４のＣ末端変異体、Ｔβ４のイソ型、酸化型Ｔβ４、またはＴβ４スルホキシドが含まれている、請求項５に記載の使用。
【請求項７】
前記誘導物質が前記生理学的機能を直接的または間接的に誘導する、請求項１に記載の使用。
【請求項８】
前記誘導物質が前記生理学的機能を間接的に誘導し、そして前記誘導物質が前記冠動脈組織の中でＬＫＫＴＥＴペプチドの生産を刺激する、請求項６に記載の使用。
【請求項９】
前記誘導物質がＬＫＫＴＥＴペプチド以外のものである、請求項７に記載の使用。
【請求項１０】
前記誘導物質が、膜受容体、ＨＥＲ成長因子受容体、Ｅｒｂ  Ｂ成長因子受容体、エストロゲン（ＥＲ）受容体、インシュリン、インシュリンとの組み合わせにおけるアルブミンが結合したパルミチン酸塩、フィブロネクチン、グルタチオン、マンニトール、ｐ３８−ＭＡＰＫの阻害因子、ＳＢ−２０３５８０、エリスロポエチン、Ｒｈｏファミリーのタンパク質、Ｒａｓ、Ｃｄｃ４２、またはＲａｃ１の少なくとも１つから選択される、請求項９に記載の使用。
【請求項１１】
前記薬剤は、アルドースレダクターゼ阻害因子（ＡＲＩ）、ゾポレスタット、ＡＣＥ阻害因子、ラミプリル、ソルビトールデヒドロゲナーゼ、阻害因子、ＣＰ−４７０、ＣＰ−７１１；Ｍ−アセチルシステイン（ＮＡＣ）、チロシンホスファターゼ阻害因子、例えば、オルトバナジン酸ナトリウム、インシュリン感受性活性を有しているレチノイド核受容体リガンド、サリチル酸塩、ｃ−Ｊｕｎ  Ｎ末端キナーゼ（ＪＮＫ）の薬理学的阻害因子、クロザピン、オランザピン、ＲＯＳの阻害因子、またはＢＡＸの阻害因子から選択される少なくとも１つの分子の有効量をさらに含む医薬的組合せを含む、請求項１０に記載の使用。
【請求項１２】
前記薬剤は、アルドースレダクターゼ阻害因子（ＡＲＩ）、ゾポレスタット、ＡＣＥ阻害因子、ラミプリル、ソルビトールデヒドロゲナーゼ、阻害因子、ＣＰ−４７０、ＣＰ−７１１；Ｍ−アセチルシステイン（ＮＡＣ）、チロシンホスファターゼ阻害因子、例えば、オルトバナジン酸ナトリウム、インシュリン感受性活性を有しているレチノイド核受容体リガンド、サリチル酸塩、ｃ−Ｊｕｎ  Ｎ末端キナーゼ（ＪＮＫ）の薬理学的阻害因子、クロザピン、オランザピン、ＲＯＳの阻害因子、またはＢＡＸの阻害因子から選択される分子の有効量をさらに含む医薬的組合せを含む、請求項１に記載の使用。
【請求項１３】
前記生理学的機能に、前記冠動脈組織の中でのＩＬＫ活性の上方調節または増大が含まれる、請求項１に記載の使用。
【請求項１４】
前記生理学的機能に、前記冠動脈組織の中でのＡｋｔ活性の上方調節または増大が含まれる、請求項１に記載の使用。
【請求項１５】
前記生理学的機能に、前記冠動脈組織の中でのホスファチジルイノシトール３−キナーゼ（ＰＩ３Ｋ）活性の上方調節または増大が含まれる、請求項１に記載の使用。
【請求項１６】
前記生理学的機能に、前記冠動脈組織の中での心筋細胞の死の下方調節または減少が含まれる、請求項１に記載の使用。
【請求項１７】
前記生理学的機能に、前記冠動脈組織の中での心筋細胞の休眠が含まれる、請求項１に記載の使用。
【請求項１８】
前記誘導物質は、約０．００１〜１，０００，０００マイクログラムの範囲の投与量である、請求項１に記載の使用。
【請求項１９】
前記誘導物質は、静脈内、腹腔内、筋肉内、皮下、吸入、経皮、または経口投与での前記冠動脈組織への直接の注入によって投与されるための物質である、請求項１に記載の使用。
【請求項２０】
前記誘導物質が、約０．１〜５，０００マイクログラムの範囲の投与量である、請求項１に記載の使用。
【請求項２１】
前記誘導物質は、約１〜３０マイクログラムの範囲の投与量である、請求項１に記載の使用。
【請求項２２】
前記誘導物質がＴβ４である、請求項２１に記載の使用。
【請求項２３】
前記ＬＫＫＴＥＴペプチドがＴβ４である、請求項８に記載の使用。
【請求項２４】
請求項１に記載の使用において冠動脈組織の損傷を予防することができる化合物をスクリーニングする方法であって、冠動脈組織を候補化合物とインビトロで接触させる工程；および前記冠動脈組織の中での前記生理学的機能の少なくとも１つのレベルを測定する工程が含まれ、前記候補化合物が存在しない条件での冠動脈組織の中での少なくとも１つの前記生理学的機能のレベルと比較した少なくとも１つの前記生理学的機能の前記レベルの増大が、前記化合物が前記冠動脈組織の損傷を処置、予防、阻害、または緩和することができることを示す、方法。
【請求項２５】
前記化合物がＴβ４以外のＬＫＫＴＥＴペプチドである、請求項２４に記載の方法。
【請求項２６】
請求項１に記載の使用において少なくとも１つの前記生理学的機能を誘導することができる化合物をスクリーニングする方法であって、冠動脈組織を候補化合物とインビトロで接触させる工程；および前記組織の中でのＴβ４活性を測定する工程を含み、前記候補化合物を含まない条件下での冠動脈組織の中でのＴβ４活性のレベルと比較した前記冠動脈組織の接触の中でのＴβ４活性の増大が、前記化合物が少なくとも１つの前記生理学的機能を誘導することができることを示す、方法。
【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
式(I):
【化１】
2008510783.tif 000001
［式中、
AおよびBは一緒になって、置換されていてもよい縮合芳香環を表し;
XはNRXまたはCRXRYとすることができ;
X=NRXならばnは1または2であり、X=CRXRYならばnは1であり;
RXはH、置換されていてもよいC1-20アルキル、C5-20アリール、C3-20ヘテロシクリル、アミド、チオアミド、エステル、アシル、およびスルホニル基からなる群より選択され;
RYはH、ヒドロキシ、アミノから選択され;
あるいはRXおよびRYは一緒になってスピロ-C3-7シクロアルキルまたはヘテロシクリル基を形成していてもよく;
RC1およびRC2は水素およびC1-4アルキルからなる群より独立して選択され、またはXがCRXRYである場合、RC1、RC2、RXおよびRYは、それらが結合している炭素原子と一緒になって、置換されていてもよい縮合芳香環を形成していてもよく;ならびに
Hetは以下から選択される:
【化２】
2008510783.tif 000002
（ここでY1はCHおよびNから選択され、Y2はCHおよびNから選択され、Y3はCH、CFおよびNから選択され、ここでY1、Y2およびY3のうちの1つまたは2つはNである）
および
【化３】
2008510783.tif 000003
（ここでQはOまたはSである）］
の化合物またはその異性体、塩、溶媒和物、化学的に保護された形態、もしくはプロドラッグ。
【請求項２】
-A-B-により表される縮合芳香環が炭素環原子のみからなる、請求項1に記載の化合物。
【請求項３】
-A-B-により表される縮合芳香環がベンゼンである、請求項2に記載の化合物。
【請求項４】
RC1およびRC2が水素である、請求項1〜3のいずれか1項に記載の化合物。
【請求項５】
nが2であり、XがNRXであり、ならびにRXがH; 置換されていてもよいC1-20アルキル; 置換されていてもよいC5-20アリール; 置換されていてもよいエステル基; 置換されていてもよいアシル基; 置換されていてもよいアミド基; 置換されていてもよいチオアミド基; および置換されていてもよいスルホニル基からなる群より選択される、請求項1〜4のいずれか1項に記載の化合物。
【請求項６】
nが1であり、XがNRXであり、ならびにRXがH; 置換されていてもよいC1-20アルキル; 置換されていてもよいC5-20アリール; 置換されていてもよいアシル; 置換されていてもよいスルホニル; 置換されていてもよいアミド; および置換されていてもよいチオアミド基からなる群より選択される、請求項1〜4のいずれか1項に記載の化合物。
【請求項７】
Hetがピリジレンであり、RXが置換されていてもよいアシル; 置換されていてもよいスルホニル; および置換されていてもよいアミドからなる群より選択される、請求項6に記載の化合物。
【請求項８】
Hetがフラニレンまたはチオフェニレンであり、RXが置換されていてもよいC1-20アルキル; 置換されていてもよいC5-20アリール; 置換されていてもよいアシル; 置換されていてもよいスルホニル; および置換されていてもよいアミドからなる群より選択される、請求項6に記載の化合物。
【請求項９】
nが1であり、XがCRXRYであり、RYがHであり、RXがH; 置換されていてもよいC1-20アルキル; 置換されていてもよいC5-20アリール; 置換されていてもよいC3-20ヘテロシクリル; 置換されていてもよいアシル; 置換されていてもよいアミノ; 置換されていてもよいアミド; および置換されていてもよいエステル基からなる群より選択される、請求項1〜4のいずれか1項に記載の化合物。
【請求項１０】
Hetがフラニレンまたはチオフェニレンであり、RXが、置換されていてもよいアミノから選択され、アミノ基がHおよびC1-20アルキルから選択されるか、または窒素原子と一緒になってC5-20複素環式基を形成している、請求項9に記載の化合物。
【請求項１１】
請求項1〜10のいずれか1項に記載の化合物および薬学的に許容される担体または希釈剤を含む、医薬組成物。
【請求項１２】
ヒトまたは動物の身体の治療方法で用いるための、請求項1〜10のいずれか1項に記載の化合物。
【請求項１３】
細胞PARP (PARP-1および/またはPARP-2)の活性を阻害することによりポリ(ADP-リボース)鎖形成を阻止するための医薬品の製造における、請求項1〜10のいずれか1項に記載の化合物の使用。
【請求項１４】
血管疾患; 敗血性ショック; 虚血性傷害; 再灌流傷害; 神経毒性; 出血性ショック; 炎症性疾患; 多発性硬化症; 糖尿病の副次的影響の治療; 心血管外科手術後の細胞毒性(cytoxicity)またはPARPの活性の阻害により改善される疾患の急性治療のための医薬品の製造における、請求項1〜10のいずれか1項に記載の化合物の使用。
【請求項１５】
癌療法において補助剤として用いるための、または電離放射線もしくは化学療法剤による治療のため腫瘍細胞を増強するための医薬品の製造における、請求項1〜10のいずれか1項に記載の化合物の使用。
【請求項１６】
個体におけるHRによるDNA DSB修復経路が欠損している癌の治療で用いる医薬品の製造における、請求項1〜10に記載の化合物の使用。
【請求項１７】
癌が正常細胞に比べ、HRによりDNA DSBを修復する能力が低下しているまたは抑止されている1つまたは複数の癌細胞を含む、請求項16に記載の使用。
【請求項１８】
癌細胞がBRCA1またはBRCA2欠損表現型を有する、請求項17に記載の使用。
【請求項１９】
癌細胞がBRCA1またはBRCA2を欠損している、請求項18に記載の使用。
【請求項２０】
個体が、HRによるDNA DSB修復経路の成分をコードする遺伝子中の突然変異に関してヘテロ接合性である、請求項16〜19のいずれか1項に記載の使用。
【請求項２１】
個体がBRCA1および/またはBRCA2中の突然変異に関してヘテロ接合性である、請求項20に記載の使用。
【請求項２２】
癌が乳癌、卵巣癌、膵臓癌または前立腺癌である、請求項16〜21のいずれか1項に記載の使用。
【請求項２３】
治療が電離放射線または化学療法剤の投与をさらに含む、請求項16〜22のいずれか1項に記載の使用。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
以下の化学式（Ｉ）：
【化１】
2008510789.tif 000001
｛式中：
Ｒは、Ｈ、Ｃ１−６アルキル、ＳＯ２Ｒ１、ＳＯ２ＮＲ１Ｒ２、又はＣＯＲ１を示し；
Ｒ１及びＲ２は、それぞれ、Ｃ１−６アルキルを示し；及び
環Ａは、フェニル環又はピリジニル環を示す。｝
を有する化合物又はそれらの医薬として許容される塩、溶媒和物、エステル又はアミド。
【請求項２】
Ｒ１がメチルを示す、請求項１に記載の化合物。
【請求項３】
Ｒ２がメチルを示す、請求項１又は２に記載の化合物。
【請求項４】
環Ａがフェニル基を示す、請求項１〜３のいずれか１項に記載の化合物。
【請求項５】
環Ａがピリジニル基を示す、請求項１〜３のいずれか１項に記載の化合物。
【請求項６】
薬剤としての、請求項１から５のいずれか１項に記載の化合物の使用。
【請求項７】
不安神経症、心臓血管疾患（狭心症、アテローム動脈硬化症、高血圧症、心不全、浮腫、高ナトリウム血症を含む。）、月経困難症、（原発性、及び続発性）、子宮内膜症、嘔吐（乗り物酔いを含む。）、子宮内発育遅延、炎症（関節リウマチを含む。）、中間痛、子癇前症、早漏、早産（早期陣痛）又はレイノー病の治療のための請求項１から５のいずれか１項に記載の化合物を含む医薬組成物。
【請求項８】
月経困難症（原発性又は続発性）の治療のための請求項７に記載の医薬組成物。
【請求項９】
不安神経症、心臓血管疾患（狭心症、アテローム動脈硬化症、高血圧症、心不全、浮腫、高ナトリウム血症を含む。）、月経困難症（原発性、及び続発性）、子宮内膜症、嘔吐（乗り物酔いを含む。）、子宮内発育遅延、炎症（関節リウマチを含む。）、中間痛、子癇前症、早漏、早産（早期陣痛）又はレイノー病の治療のための薬剤の製造における、請求項１から５のいずれか１項に記載の化合物の使用。
【請求項１０】
月経困難症（原発性又は続発性)の治療のための請求項９に記載の使用。
【請求項１１】
医薬として許容される賦形剤、希釈剤又は担体と一緒の、請求項１から５のいずれか１項に記載の化合物を含む薬剤。
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2008510776.tif 000001
その任意の異性体若しくはその異性体の任意の混合物、
又は薬学的に許容し得るその塩
（式中、
Ｒ１はキノリル、イソキノリル又はピリジル基を表し、その基は、
ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニル
からなる群から独立に選択された１つ又は複数の置換基によって場合により置換されており、
ｎは１又は２であり、
Ｒ２及びＲ３は互いに独立に水素又はアルキルを表し、
結合線・・・・・は一重又は二重結合を表し、
Ｒ４及びＲ５は互いに独立に水素又はアルキルを表し、或いはＲ４及びＲ５が一緒になってそれらが結合している炭素原子と共に３員炭素環式環を形成し、
Ｒ６は水素又はアルキルを表す）。
【請求項２】
Ｒ１が場合により置換されているキノリル基を表す請求項１に記載の化合物。
【請求項３】
Ｒ１が場合により置換されているイソキノリル基を表す請求項１に記載の化合物。
【請求項４】
Ｒ１が場合により置換されているピリジル基を表す請求項１に記載の化合物。
【請求項５】
一般式（ＩＩ）の化合物である請求項１から４までのいずれか一項に記載の化合物
【化２】
2008510776.tif 000002
その任意の異性体若しくはその異性体の任意の混合物、
又は薬学的に許容し得るその塩
（式中、Ｒ１、Ｒ２、Ｒ３、Ｒ６及びｎは請求項１で定義されたものであり、
Ｒ４及びＲ５は互いに独立に水素又はアルキルを表す）。
【請求項６】
一般式（ＩＩＩ）の化合物である請求項１から４までのいずれか一項に記載の化合物
【化３】
2008510776.tif 000003
その任意の異性体若しくはその異性体の任意の混合物、
又は薬学的に許容し得るその塩
（式中、Ｒ１、Ｒ２、Ｒ３及びｎは請求項１で定義されたものである）。
【請求項７】
（±）−［（Ｅ）−３−（イソキノリン−５−イルオキシ）−ヘキサ−４−エニル］−メチルアミン；
（±）−［（Ｅ）−３−（キノリン−２−イルオキシ）−ヘキサ−４−エニル］−メチルアミン；
（±）−［（Ｅ）−３−（キノリン−４−イルオキシ）−ヘキサ−４−エニル］−メチルアミン；
（±）−［（Ｅ）−３−（６−クロロ−ピリジン−２−イルオキシ）−ヘキサ−４−エニル］−メチルアミン；
（±）−［３−（イソキノリン−５−イルオキシ）−５−メチル−ヘキサ−４−エニル］−メチルアミン；
又は薬学的に許容し得るその塩である請求項１に記載の化合物。
【請求項８】
請求項１から７までのいずれか一項に記載の化合物、その任意の異性体若しくはその異性体の任意の混合物、又は薬学的に許容し得るその塩の治療有効量を、少なくとも１種の薬学的に許容し得る担体、賦形剤又は希釈剤と共に含む医薬組成物。
【請求項９】
ヒトを含む哺乳動物の、中枢神経系におけるモノアミン神経伝達物質再取込みの阻害に応答性の疾患、障害又は状態の治療、予防又は軽減を目的とする医薬組成物。
【請求項１０】
疾患、障害又は状態が、気分障害、うつ病、非定型うつ病、疼痛に続発するうつ病、大うつ病性障害、気分変調性障害、双極性障害、双極性障害Ｉ型、双極性障害ＩＩ型、循環病、全身的な病状に基づく気分障害、物質誘発気分障害、仮性認知症、ガンザー症候群、強迫性障害、パニック障害、広場恐怖を伴わないパニック障害、広場恐怖を伴うパニック障害、パニック障害歴のない広場恐怖症、パニック発作、記憶欠損、記憶喪失、注意欠陥過活動性障害、肥満症、不安症、全般性不安障害、摂食障害、パーキンソン病、パーキンソン症候群、認知症、加齢性認知症、老年認知症、アルツハイマー病、後天性免疫不全症候群認知症複合症、加齢における記憶機能不全、特定の恐怖、社会恐怖症、心的外傷後ストレス障害、急性ストレス障害、薬物嗜癖、薬物乱用、コカイン乱用、ニコチン乱用、タバコ乱用、アルコール嗜癖、アルコール依存症、疼痛、慢性的疼痛、炎症性疼痛、神経障害性疼痛、片頭痛、緊張型頭痛、慢性緊張型頭痛、抑うつ関連痛、線維筋痛症、関節炎、骨関節炎、関節リウマチ、背痛、癌性疼痛、過敏性大腸痛、過敏性大腸症候群、術後疼痛、乳房切除後疼痛症候群（ＰＭＰＳ）、脳卒中後疼痛、薬物誘発神経障害、糖尿病性神経障害、交感神経性持続痛、三叉神経痛、歯痛、顔面筋疼痛、幻肢疼痛、過食症、月経前症候群、黄体期後期症候群、外傷後症候群、慢性疲労症候群、尿失禁、緊張性尿失禁、切迫尿失禁、夜尿症、性機能障害、早漏、勃起困難、勃起不全、早発女性オルガズム、不穏下肢症候群、摂食障害、神経性食欲不振、睡眠障害、自閉症、無言症、抜毛癖、ナルコレプシー、脳卒中後抑うつ、脳卒中誘発脳損傷、脳卒中誘発神経損傷、又はジルドラツレット病である請求項９に記載の医薬組成物。
【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
ａ）放出可能に貯蔵された投与量の薬学的に活性な物質を含むリザーバー；及び
ｂ）前記リザーバーの少なくとも一部に関連する半透明フィルム；
を含む経皮薬物送達デバイスであって、
前記半透明フィルムが少なくとも１種類の無機紫外線吸収化合物を含有する、前記経皮薬物送達デバイス。
【請求項２】
前記リザーバーが圧感接着剤である、請求項１に記載の経皮薬物送達デバイス。
【請求項３】
前記無機紫外線吸収化合物が、二酸化チタン、酸化亜鉛、および酸化鉄からなる群から選択される、請求項１に記載の経皮薬物送達デバイス。
【請求項４】
前記無機紫外線吸収化合物が、平均粒径が５０ナノメートルの粒子状で存在する、請求項１〜３のいずれか一項に記載の経皮薬物送達デバイス。
【請求項５】
前記半透明フィルムが、ポリエチレン、ポリエチレンコポリマー、またはポリエチレンブレンドを含む、請求項１〜３のいずれか一項に記載の経皮薬物送達デバイス。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
5〜100mMヒスチジン、0.5〜3.0％PEG、0.25〜3％グリシン、5〜50mMアルギニン、0.5〜30％スクロース、およびSEQ ID NO：10の融合タンパク質配列を含む5〜50mg/mlのIL-1タンパク質アンタゴニストを含む、凍結乾燥に適した製剤。
【請求項２】
約20mMヒスチジン、約1.5％PEG3350、約0.5％グリシン、約25mMアルギニン、約1.0％スクロース、および約40mg/mlのIL-1アンタゴニストを含む、請求項1記載の製剤。
【請求項３】
リン酸緩衝剤、約1.5％を上回るスクロース、約0.15mMを上回るクエン酸塩、および約0.005％を上回るポリソルベート20を含まない、請求項1または2記載の製剤。
【請求項４】
pHが6〜6.75、好ましくは6〜6.5、より好ましくは6.5である、前記請求項のいずれか一項記載の製剤。
【請求項５】
請求項1〜4のいずれか一項記載の凍結乾燥前の製剤の凍結乾燥によって得られる、凍結乾燥製剤。
【請求項６】
前記請求項のいずれか一項記載の凍結乾燥前の製剤を凍結乾燥して、凍結乾燥IL-1アンタゴニスト製剤を生成する工程を含む、凍結乾燥IL-1アンタゴニスト製剤を生産する方法。
【請求項７】
請求項5記載の凍結乾燥製剤、または請求項6記載の方法によって得られる凍結乾燥製剤を再構成製剤へと再構成する工程を含む、再構成凍結乾燥IL-1アンタゴニスト製剤を生産する方法。
【請求項８】
再構成製剤が約20〜120mg/mlのIL-1アンタゴニストを含む、請求項7記載の方法。
【請求項９】
再構成製剤が凍結乾燥前の製剤の2倍または3倍の濃度である、請求項7記載の方法。
【請求項１０】
SEQ ID NO：10の融合タンパク質配列を含むIL-1タンパク質アンタゴニストの再構成凍結乾燥製剤であって、約40mMヒスチジン、約3％PEG3350、約1％グリシン、約50mMアルギニン、約2.0％スクロース、および約80mg/mlの該IL-1タンパク質アンタゴニストを含む再構成凍結乾燥製剤。
【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
式：
【化１】
2008510719.tif 000001
［式中、
Ｘ１およびＸ２は−Ｎ（Ｈ）−であり；
ＹはＯであり；
ＷはＣＦ３で置換されているピラジニルであり；
Ｒ６はＯＲ１１であり；
Ｒ８およびＲ９はヒドロであり；
Ｒ１０はＣＦ３またはＣＨ３であり；
Ｒ１１はピペリジン−３−イルまたは１−メチル−ピペリジン−３−イルで置換されているＣＨ３である］
で示される化合物またはその薬学的に許容可能な塩。
【請求項２】
請求項１記載の化合物またはその薬学的に許容可能な塩を薬学的に許容可能な希釈剤または担体とともに含む、医薬組成物。
【請求項３】
請求項１記載の化合物またはその薬学的に許容可能な塩を含む、直腸癌、頭部および頸部癌、膵臓癌、乳癌、胃癌、膀胱癌、外陰部癌、白血病、リンパ腫、黒色腫、腎細胞癌腫、卵巣癌、脳腫瘍、骨肉腫、および肺癌からなるグループから選択される癌の治療剤。
【請求項４】
1-[2-(ピペリジン-3-イルメトキシ)-5-トリフルオロメチル-フェニル]-3-(5-トリフルオロメチルピラジン-2-イル)ウレア塩酸塩；
1-[5-メチル-2-(ピペリジン-3-イルメトキシ)フェニル]-3-(5-トリフルオロメチル-ピラジン-2-イル)ウレア塩酸塩；および
1-[5-メチル-2-(1-メチル-ピペリジン-3-イルメトキシ)フェニル]-3-(5-トリフルオロメチル-ピラジン-2-イル)ウレアからなるグループから選択される化合物。